(57)【要約】    【課題】  収納家具の本来の収納性を維持しながら設置後の見栄えがよく、しかも良好な突っ張り性を確保することができる収納家具の転倒防止装置を提供することを課題とする。    【解決手段】  天井面Ｙに配設された補強板６に上面１１ａが当接するチャンネル状のカバー部材１１、側板２の突出部上面に当接するベース部材１２、カバー部材１１の上面１１ａの直下に設けられた中間部材１３、ベース部材１２と中間部材１３との間に介装されたコイルバネ１４、コイルバネ１４を支持すると共に頭部１５ｃがカバー部材１１の上面１１ａから突出するバネ軸１５、コイルバネ１４を初期の圧縮状態でロックするロック部材、コイルバネ１４の伸張時にベース部材１２がカバー部材１１の両側面１１ｂ，１１ｂ下端の所定量上方位置より下方に突出しないように規制するバネ軸１５の中間部１５ｂ、及びカバー部材１１の両端部の開口を覆う蓋部材１８を備える。【選択図】    図５
2006158474.tif 000002
【特許請求の範囲】
【請求項１】
上方に突出する側板を備えた収納家具の上部と天井面との間に設置されて、弾性力に基づく突っ張り性によって収納家具の転倒を防止する転倒防止装置であって、天井面に当接する上面と上記側板の突出部に両側から係合する両側面とを有するチャンネル状のカバー部材と、該カバー部材内に収容されて上記側板の突出部上面に当接するベース部材と、該ベース部材を上記カバー部材内で下方に付勢するバネ部材と、該バネ部材を圧縮状態として上記カバー部材の上面と上記ベース部材とを接近させた状態でロックするロック手段と、上記カバー部材内に設けられて上記バネ部材の伸張時に上記ベース部材がカバー部材の両側面下端の所定量上方位置より下方に突出しないように規制するストッパ手段とが備えられていることを特徴とする収納家具の転倒防止装置。
【請求項２】
カバー部材の上面から突出するピン部材が設けられていることを特徴とする請求項１に記載の収納家具の転倒防止装置。
【請求項３】
バネ部材はコイルバネであると共に、ベース部材には該コイルバネに挿入されるバネ軸が立設され、該バネ軸の上部がカバー部材の上面から突出するピン部材とされていることを特徴とする請求項１または請求項２に記載の収納家具の転倒防止装置。
【請求項４】
バネ部材とバネ軸とは、それぞれ複数備えられていることを特徴とする請求項３に記載の収納家具の転倒防止装置。
【請求項５】
カバー部材の上面の直下にバネ軸が貫通する孔部を有する中間部材が設けられていると共に、バネ部材は該中間部材とベース部材との間に介装されており、かつ、ストッパ手段は、上記中間部材の孔部と、該孔部を貫通したバネ軸の上部に設けられて該孔部より径の大きい大径部とで構成されていることを特徴とする請求項３または請求項４に記載の収納家具の転倒防止装置。
【請求項６】
ロック手段は、ベース部材に立設された支軸に設けられて水平面内で回動する細長いロック部材と、中間部材に設けられて上記ロック部材を所定の向きにおいてのみ挿通可能とする孔部とで構成されており、かつ、カバー部材の少なくとも一方の側面に、上記ロック部材を回動させるための工具を操作可能に工具操作窓部が設けられていることを特徴とする請求項５に記載の収納家具の転倒防止装置。
【請求項７】
カバー部材の両端部の開口を覆う蓋部材が備えられていることを特徴とする請求項１から請求項６のいずれかに記載の収納家具の転倒防止装置。
【請求項８】
ベース部材には、当該転倒防止装置を側板の上部にねじ止めするためのねじ孔部が設けられていると共に、カバー部材の上面には、上記ねじ孔部に対応する箇所にねじ止め用の工具を操作可能に工具操作窓部が設けられていることを特徴とする請求項１から請求項７のいずれかに記載の収納家具の転倒防止装置。
【発明の詳細な説明】
【技術分野】
【０００１】
本発明は、収納家具の上部と天井面との間に設置して該収納家具の転倒防止を図る装置に関し、家具の技術分野に属する。
【背景技術】
【０００２】
従来、床面に載置される収納家具の転倒防止を図るため、該家具と壁面や天井面等とをねじやＬ型金具で結合したり、該家具と天井面との間で突っ張るアジャスタを設置するのが一般的である。しかしながら、これらの方法では天井面や床面の不陸を吸収するのは困難であり、また、収納物の重量による家具の沈み込みが生じた場合には、ねじや金具の再度の取り付け、アジャスタの調整等が必要となり、保守は面倒である。
【０００３】
このような問題を解消する転倒防止装置としては、例えば特許文献１や特許文献２に記載のものがある。まず、図１０に示すように、特許文献１に記載の装置ＡはラックＢの転倒防止を図るためのもので、ねじ棒Ａ１と、該ねじ棒Ａ１の一端部に接続されたカップＡ２と、該カップＡ２の内部に装着された圧縮バネＡ３とを有している。
【０００４】
そして、ねじ棒Ａ１をラックＢの最上部板Ｂ１にねじ込み、ねじ棒Ａ１の上端部のカップＡ２にバネＡ３を装着したのち、天板Ｂ２を介して天井面Ｙにあてがった状態でねじ棒Ａ１の最上部板Ｂ１へのねじ込み量を調整することにより、この装置ＡはラックＢと天井面Ｙとの間で突っ張り、ラックＢの転倒防止を図ることができる。また、この装置Ａによれば、前述した不陸や沈み込みがあったとしても、バネＡ３の付勢力によって天板Ｂ２は天井面Ｙに押し付けられるため、保守は容易となる。
【０００５】
一方、図１１に示すように、特許文献２に記載の装置Ｃは収納庫Ｄの転倒防止を図るためのもので、天井面Ｙにあてがう滑り止め用のプレートＣ１と、該プレートＣ１に結合された例えばゴム製筒状のバネ材Ｃ２と、該バネ材Ｃ２の内方に設けられて該バネ材Ｃ２を伸張状態から圧縮状態とするときに操作するシャフトＣ３と、上記バネ材Ｃ２を圧縮状態に保持すると共にその状態を解除するときに操作するストッパＣ４と、これらを収納庫Ｄの上面に取り付けるための取付台Ｃ５とを有している。
【０００６】
そして、バネ材Ｃ２が圧縮状態とされた２つの装置Ｃ，Ｃを収納庫Ｄと天井面Ｙとの間に設置したのち、取付台Ｃ５の側部に設けられた図示しない窓部を介してストッパＣ４を操作してバネ材Ｃ２を圧縮状態から伸張状態とすることにより、プレートＣ１は天井面Ｙに押し付けられる。すなわち、これらの装置Ｃ，Ｃは収納庫Ｄと天井面Ｙとの間で突っ張り、収納庫Ｄの転倒防止を図ることができる。また、これらの装置Ｃ，Ｃによれば、上記不陸や沈み込みがあったとしても、バネ材Ｃ２の付勢力によってプレートＣ１は天井面Ｙに押し付けられるため、保守は容易となる。
【０００７】
【特許文献１】登録実用新案公報第３０１７６６７号公報
【特許文献２】特開２０００−３３６８１１号公報
【発明の開示】
【発明が解決しようとする課題】
【０００８】
ところで、特許文献１に記載の装置Ａでは、ラックＢの内部にねじ棒Ａ１の下端部が突出するため、このラックＢの収納性が損なわれるという問題がある。一方、特許文献２に記載の装置Ｃでは、バネ材Ｃ２が露出するため見栄えが悪く、また、特にバネ材Ｃ２がゴム製である場合には物が当って傷付き、突っ張り性が損なわれるおそれがあるという問題がある。さらに、この装置Ｃを収納庫Ｄの上面に設置する場合、上面は通常強度的に弱く、所望の突っ張り性が得られないおそれがある。
【０００９】
そこで、本発明は、収納家具の本来の収納性を維持しながら設置後の見栄えがよく、しかも良好な突っ張り性を確保することができる収納家具の転倒防止装置を提供することを課題とする。
【課題を解決するための手段】
【００１０】
上記課題を解決するため、本発明は次のように構成したことを特徴とする。
【００１１】
まず、請求項１に記載の発明は、上方に突出する側板を備えた収納家具の上部と天井面との間に設置されて、弾性力に基づく突っ張り性によって収納家具の転倒を防止する転倒防止装置であって、天井面に当接する上面と上記側板の突出部に両側から係合する両側面とを有するチャンネル状のカバー部材と、該カバー部材内に収容されて上記側板の突出部上面に当接するベース部材と、該ベース部材を上記カバー部材内で下方に付勢するバネ部材と、該バネ部材を圧縮状態として上記カバー部材の上面と上記ベース部材とを接近させた状態でロックするロック手段と、上記カバー部材内に設けられて上記バネ部材の伸張時に上記ベース部材がカバー部材の両側面下端の所定量上方位置より下方に突出しないように規制するストッパ手段とが備えられていることを特徴とする。
【００１２】
次に、請求項２に記載の発明は、上記請求項１に記載の発明において、カバー部材の上面から突出するピン部材が設けられていることを特徴とする。
【００１３】
また、請求項３に記載の発明は、上記請求項１または請求項２に記載の発明において、バネ部材はコイルバネであると共に、ベース部材には該コイルバネに挿入されるバネ軸が立設され、該バネ軸の上部がカバー部材の上面から突出するピン部材とされていることを特徴とする。
【００１４】
また、請求項４に記載の発明は、上記請求項３に記載の発明において、バネ部材とバネ軸とは、それぞれ複数備えられていることを特徴とする。
【００１５】
また、請求項５に記載の発明は、上記請求項３または請求項４に記載の発明において、カバー部材の上面の直下にバネ軸が貫通する孔部を有する中間部材が設けられていると共に、バネ部材は該中間部材とベース部材との間に介装されており、かつ、ストッパ手段は、上記中間部材の孔部と、該孔部を貫通したバネ軸の上部に設けられて該孔部より径の大きい大径部とで構成されていることを特徴とする。
【００１６】
また、請求項６に記載の発明は、上記請求項５に記載の発明において、ロック手段は、ベース部材に立設された支軸に設けられて水平面内で回動する細長いロック部材と、中間部材に設けられて上記ロック部材を所定の向きにおいてのみ挿通可能とする孔部とで構成されており、かつ、カバー部材の少なくとも一方の側面に、上記ロック部材を回動させるための工具を操作可能に工具操作窓部が設けられていることを特徴とする。
【００１７】
また、請求項７に記載の発明は、上記請求項１から請求項６のいずれかに記載の発明において、カバー部材の両端部の開口を覆う蓋部材が備えられていることを特徴とする。
【００１８】
そして、請求項８に記載の発明は、上記請求項１から請求項７のいずれかに記載の発明において、ベース部材には、当該転倒防止装置を側板の上部にねじ止めするためのねじ孔部が設けられていると共に、カバー部材の上面には、上記ねじ孔部に対応する箇所にねじ止め用の工具を操作可能に工具操作窓部が設けられていることを特徴とする。
【発明の効果】
【００１９】
まず、請求項１に記載の発明によれば、この転倒防止装置をベース部材を介して側板の突出部に設置するので、収納家具の本来の収納性を維持することができる。その場合、ベース部材がカバー部材の両側面下端の所定量上方位置より下方に突出しないようにバネ部材を規制するストッパ手段を備えているので、カバー部材の両側面は常時側板の突出部に両側から係合可能となり、カバー部材の設置状態ひいては当該装置の設置状態が安定する。
【００２０】
また、当該装置ではベース部材、バネ部材、ロック手段、及びストッパ手段をチャンネル状のカバー部材内に収容しているので、設置後の見栄えがよい。
【００２１】
そして、側板の突出部上面に当接するベース部材と天井面に当接するカバー部材の上面との間にバネ部材を介装しているので、当該装置を収納家具と天井面との間に設置後、ロック手段を介してバネ部材の初期の圧縮状態を解除すれば、バネ部材はベース部材ひいては収納家具とカバー部材の上面ひいては天井面との間で突っ張り、収納家具の転倒防止を図ることができると共に、天井面や床面の不陸があったり収納物の重量による収納家具の沈み込みが生じたとしても、バネ部材の付勢力によって良好な突っ張り性を確保することができる。
【００２２】
その場合、側板という収納家具の中でも上下方向の荷重に強い箇所に当該装置を設置するので、突っ張り性は一層良好に確保される。ところで、収納家具にねじ軸をねじ込んで設置する方式の従来の装置では、収納家具側に鬼目ナットのようなねじ込み部を設ける必要があるので、該ねじ込み部を側板の上部に設けた場合、施工時に収納家具の高さ調整のため側板の上部を切断するのは容易ではなく、また、切断後に再度ねじ込み部を設けることになって面倒である。それに対して本発明によれば、元々上記ねじ込み部を設ける必要がないので、側板の高さ調整つまり収納家具の高さ調整に容易に対応することができるメリットがある。
【００２３】
次に、請求項２に記載の発明によれば、カバー部材の上面から突出するピン部材を設けているので、該ピン部材が挿通される孔部を天井面側に設けることにより、施工時の当該装置の位置合わせが容易となり、また倒れが防止される等、作業性が向上する。特に、天井面側に孔部を設けた補強板を配設して、新築時のみならず改築時あるいは転居時においても、天井面の強度状態に拘わらず収納家具の転倒防止を図ることができる。
【００２４】
また、請求項３に記載の発明によれば、バネ部材としてのコイルバネがバネ軸によって安定的にベース部材上の所定の箇所で支持されて、正しく上下方向の付勢力を生成させることができる。その場合、バネ軸の上部を上記請求項２に記載のピン部材として利用するため、部品点数の低減ひいてはコストの削減を図ることができる。
【００２５】
また、請求項４に記載の発明によれば、バネ部材とバネ軸とをそれぞれ複数備えることにより、バネ部材によってカバー部材の上面とベース部材との間をより均等に支持することができ、より広い受圧面積を確保することも可能となる。しかも、バネ軸がカバー部材の上面から突出しており、該バネ軸の上部が天井面側の孔部に係合することにより、天井面側に対する当該装置の回転が防止され、施工時の作業性が一層向上する。
【００２６】
また、請求項５に記載の発明によれば、ストッパ手段が中間部材の孔部とバネ軸に設けられた大径部という比較的単純な構成で具体化され、コストの高騰を抑制することができる。
【００２７】
また、請求項６に記載の発明によれば、ロック手段がロック部材と中間部材の孔部という比較的単純な構成で具体化され、コストの高騰を抑制することができる。しかも、手回しドライバ等の適宜の工具で工具操作窓部を介してロック部材を回動させるだけで容易にバネ部材のロック状態つまり初期の圧縮状態を解除することができ、施工時の作業性に優れる。
【００２８】
また、請求項７に記載の発明によれば、蓋部材を備えることにより、カバー部材の両端部方向からの見栄えが向上する。さらに、バネ部材が最も圧縮された状態においても、蓋部材の下縁がベース部材より下方に位置しないように寸法を設定することにより、蓋部材の下縁が側板の突出部上面に干渉することはなく、当該装置の側板への設置を妨げない。さらに、例えば蓋部材の下縁とベース部材との間に生成される隙間を観察すればバネ部材の圧縮あるいは伸張状態がわかり、バネ部材が所定量を超えて伸張していると、収納家具の下部にアジャスタが設けられている場合にはこれを調整して、バネ部材を所定の状態とする等の処置を施すことができる。
【００２９】
そして、請求項８に記載の発明によれば、ベース部材を介してねじ止めすることにより、当該装置を側板の突出部に堅固に固定することができ、安定して良好な突っ張り力を確保するのに効果的となる。
【発明を実施するための最良の形態】
【００３０】
以下、本発明の実施の形態について説明する。
【００３１】
すなわち、図１及び図２に示すように、本発明に係る収納棚１は、上方に突出する複数の側板２…２と、互いに隣接する各一対の側板２，２間に架設された複数の棚板３…３とを有し、多数の収納空間が形成されている。また、この収納棚１は、床面Ｘに複数のアジャスタ脚４…４と該アジャスタ脚４…４を受ける脚受け部材５…５とを介して設置されている。そして、この収納棚１の上部と天井面Ｙとの間に、補強板６を介して複数の転倒防止装置７…７が装着されている。
【００３２】
アジャスタ脚４は、収納棚１の設置高さを調整するためのものである。一方、脚受け部材５は、上記アジャスタ脚４を介して収納棚１の重量を面状かつ弾性的に受けるものであり、また、床面Ｘに対する滑り止め機能も備えている。
【００３３】
図３〜図５に示すように、本発明の特徴部分である転倒防止装置７は、収納棚１に設けられた側板２の突出部と天井面Ｙとの間に、天井面Ｙに図示しない両面粘着テープで貼り付けられた収納棚１の幅方向に長い補強板６を介して設置される。そして、この転倒防止装置７は、カバー部材１１、ベース部材１２、中間部材１３、一対のコイルバネ１４，１４、同じく一対のバネ軸１５，１５、支軸１６、ロック部材１７、及び一対の蓋部材１８，１８を有している。なお、図４及び図５は施工途中の状態つまりコイルバネ１４，１４が初期の圧縮状態の場合を示すもので、補強板６と転倒防止装置７との間に若干の隙間が形成されているが、施工後にはカバー部材１１は矢印ａ及び細い二点鎖線で示すように補強板６に押し付けられるようになる。
【００３４】
カバー部材１１はアルミニウム製で、施工後に補強板６に当接することになる上面１１ａと側板２の突出部に両側から係合する両側面１１ｂ，１１ｂとを有するチャンネル状とされている。また、上面１１ａには、バネ軸１５，１５の上部が突出可能に孔部１１ｃ，１１ｃが設けられている。
【００３５】
ベース部材１２はスチール製で、カバー部材１１内に収容されて側板２の突出部上面に当接するもので、長手方向の両端に上方に向く折曲部１２ａ，１２ａと、長手方向に沿った両側に下方に向く折曲部１２ｂ，１２ｂとを有している。なお、後者の折曲部１２ｂ，１２ｂは、この転倒防止装置７を側板２の突出部に設置するときに、該側板２を両側から抱き込むガイド機能を備えている。
【００３６】
また、ベース部材１２の長手方向の両端近傍には、この転倒防止装置７を側板２の突出部上面にねじＺ１，Ｚ１を用いて固定するためのねじ孔部１２ｃ，１２ｃが設けられており、一方、カバー部材１１の上面１１ａには、上記ねじ孔部１２ｃ，１２ｃに対応する箇所に、ねじ止め用の電動ドライバ等の工具を操作可能に工具操作窓部１１ｄ，１１ｄが設けられている。なお、カバー部材１１の上面１１ａには、この転倒防止装置７を補強板６にねじＺ２，Ｚ２を用いて固定する場合に利用されるねじ孔部（図３及び図４に一方のみ示す）１１ｅ，１１ｅが設けられている。
【００３７】
中間部材１３はスチール製かつ略チャンネル状のもので、カバー部材１１の上面１１ａの直下にビス１９…１９で固定されており、バネ軸１５，１５が貫通する孔部１３ａ，１３ａが設けられている。また、中間部材１３の長手方向の両端には、ベース部材１２を側板２にねじ止めするときに、その作業を可能とするための切欠部１３ｂ，１３ｂが設けられている。
【００３８】
コイルバネ１４，１４はベース部材１２をカバー部材１１内で下方に付勢するもので、ベース部材１２と中間部材１３との間に介装されている。その場合、各コイルバネ１４の上部は、樹脂製のバネ受け部材２０で受けられている。
【００３９】
バネ軸１５，１５はベース部材１２に長手方向に所定の間隔を置いて立設されており、コイルバネ１４，１４に挿入されてこれらを支持する。各バネ軸１５は、ベース部材１２から延びる最も小径の基部１５ａと最も大径の中間部１５ｂと中間径の頭部１５ｃとで構成されている。その場合、中間部１５ｂは、中間部材１３に設けられた孔部１３ａより上方に設けられていると共に該孔部１３ａよりも径が大きく設定されている。頭部１５ｃは、カバー部材１１の上面１１ａの孔部１１ｃから突出して補強板６に設けられた孔部６ａに嵌り込むもので、面取りされている。
【００４０】
支軸１６は、一対のコイルバネ１４，１４に挟まれてベース部材１２に立設されており、その上部に水平面内で回動する樹脂製の細長いロック部材１７が設けられている。一方、中間部材１２には、このロック部材１７に対応する箇所に該ロック部材１７を図３に細い二点鎖線で示す所定の向きにおいてのみ挿通可能とする平面視略矩形の孔部１３ｃが設けられており、ロック部材１７と中間部材１３の孔部１３ｃとにより、コイルバネ１４，１４を圧縮状態としてカバー部材１１の上面１１ａとベース部材１２とを接近させた状態でロックするロック機構が構成される。また、ロック部材１７の下部は所定の形状に切り欠かれている。そして、カバー部材１１の両側面１１ｂ，１１ｂに、上記ロック部材１７を回動させるための手回しドライバ等の工具を操作可能に工具操作窓部１１ｆ，１１ｆが設けられている。
【００４１】
蓋部材１８，１８はカバー部材１１の両端部の開口を覆う樹脂製のもので、着脱可能に備えられている。すなわち、各蓋部材１８には、カバー部材１１内方に略板状に延びる各一対の上部係合部１８ａ，１８ａと、一部スリットされて断面が略ロ字様に延びる下部係合部１８ｂ，１８ｂとが設けられており、一方、カバー部材１１の上面１１ａには、上部係合部１８ａ，１８ａの先端近傍の突起が嵌り込む係合孔部１１ｇ…１１ｇが、カバー部材１１の両側面１１ｂ，１１ｂには、下部係合部１８ｂ，１８ｂが係合する長手方向に沿って延びるレール部１１ｈ，１１ｈが設けられている。
【００４２】
そして、図６及び図７に、付勢力が所望の値の下限に低下するまでコイルバネ１４，１４が伸張した状態の転倒防止装置７を示している。すなわち、これは転倒防止装置７を収納棚１の側板２の上部に装着して、カバー部材１１の工具操作窓部１１ｆを介してロック部材１７を図３に実線で示した状態から細い二点鎖線で示したように９０度回動させて中間部材１３の孔部１３ｃに落とし込むことにより、コイルバネ１４，１４の初期の圧縮状態を解除して、コイルバネ１４，１４が適切な伸張状態となることにより、収納棚１と補強板６ひいては天井面Ｙとの間で良好な付勢力が確保されたのちに、例えば収納棚１の大きな沈み込みが生じた場合を示しており、沈み込んだ側板２に固定されたベース部材１２と天井面Ｙに固定された補強板６つまりカバー部材１１ひいては中間部材１３との間で、コイルバネ１４，１４が限界まで伸張している。
【００４３】
この限界の伸張状態は、孔部１３ａ，１３ａを介して中間部材１３を貫通するバネ軸１５，１５に設けられた大径の中間部１５ｂ，１５ｂが中間部材１３に上方から当接することで実現されるものであり、中間部１５ｂ，１５ｂが、図４及び図５に示した初期の圧縮状態における位置から図６及び図７に示した限界の伸張状態における位置の間、例えば図６及び図７に細い二点鎖線で示す位置にあれば、コイルバネ１４，１４はカバー部材１１の上面１１ａを補強板６に良好に押し付ける。その場合、バネ軸１５の中間部１５ｂと中間部材１３とは、ベース部材１２がカバー部材１１の両側面１１ｂ，１１ｂ下端の所定量上方位置より下方に突出しないように当接する。なお、収納棚１の沈み込みに伴い、ベース部材１２に立設されたバネ軸１５，１５の頭部１５ｃ，１５ｃは、補強板６の孔部６ａ，６ａ内でカバー部材１１側に若干退避している。
【００４４】
そして、限界の伸張状態では、図６及び図７に示すように、矢印ｂ方向から見たときに、ベース部材１２の上方に向く折曲部１２ａ，１２ａの上縁が蓋部材１８，１８の下縁に対して所定の隙間βを空けて下方に位置するように、一方、初期の圧縮状態では、図４及び図５に示すように、矢印ｂ方向から見たときに、折曲部１２ａ，１２ａの上縁が蓋部材１８，１８で隠れるように、折曲部１２ａや蓋部材１８の寸法、及びバネ軸１５における中間部１５ｂの配設位置等が設定されている。
【００４５】
ここで、収納棚１への転倒防止装置７の装着手順の一例について説明すると、まず、各側板２の突出部に、図４及び図５に示したコイルバネ１４，１４がロック状態つまり初期の圧縮状態とされた転倒防止装置７をねじＺ１，Ｚ１で固定する。このように、工場から施工現場にコイルバネ１４，１４が初期の圧縮状態とされた転倒防止装置７を持ち込み可能であるので、作業性の向上を図ることができると共に、現場に伸張したバネ部材を設置したのちこれを圧縮するような、施工者の力加減に左右されるものではないので、常に安定して初期の良好な突っ張り力を確保することができる。
【００４６】
次いで、各側板２の下面にアジャスタ脚４，４を取り付ける。そして、天井面Ｙに両面粘着テープを介して補強板６を貼り付けて補強する。この取り付けに両面粘着テープを用いることにより、ねじや釘を用いた場合のように天井面Ｙに傷が残ることはなく、また、天井面Ｙがねじや釘の効かない素材であったり、ねじや釘の使用が許されないような場合にも取り付けが可能となる。なお、天井面Ｙが強度的に十分強い場合には、補強板６を省略してもよい。
【００４７】
次いで、各側板２に取り付けられたアジャスタ脚４，４に例えば両面粘着テープを介して脚受け部材５を結合した上で、各側板２の上部に装着された転倒防止装置７のカバー部材１１の上面１１ａから突出するバネ軸１５，１５の頭部１５ｃ，１５ｃが補強板６の孔部６ａ，６ａに嵌り込むように各側板２を立てる。そして、アジャスタ脚４，４の各側板２へのねじ込み量を調節して上記カバー部材１１の上面１１ａを補強板６に当接させると共に、各側板２の垂直を調整する。
【００４８】
その場合、バネ軸１５の頭部１５ｃは面取りされているので、補強板６の孔部６ａにスムーズに嵌り込んで作業が容易であると共に、この頭部１５ｃによって孔部６ａ周辺の補強板６が損傷することはない。また、一対のバネ軸１５，１５の配設間隔は広い方が補強板６の孔部６ａ，６ａに嵌め込み易い。そして、バネ軸１５の頭部１５ｃの径は小さい方が補強板６の孔部６ａの径も小さくなり、目立たなくなって見栄えがよい。
【００４９】
このようにして各側板２を垂直に立て、互いに隣接する一対の側板２，２間に棚板３…３を設置した上で、アジャスタ脚４…４の側板２…２へのねじ込み量を加減して収納棚１全体の水平垂直を調整したのち、例えば手回しドライバによって転倒防止装置７の工具操作窓部１１ｆを介してロック部材１７を９０度回動させて所定の向きにしてこれを中間部材１３の孔部１３ｃに落とし込ませ、ロック状態を解除してコイルバネ１４，１４を伸張状態とさせる。その結果、図４及び図５に矢印ａ及び細い二点鎖線で示したように、コイルバネ１４，１４は、側板２の突出部上面に固定されたベース部材１２に対して中間部材１３ひいてはカバー部材１１の上面１１ａを補強板６ひいては天井面Ｙに押し付けるようになり、この転倒防止装置７は、収納棚１と天井面Ｙとの間で突っ張るようになる。
【００５０】
その場合、ロック部材１７の下部は所定の形状に切り欠かれているため、ロック状態を解除するときに回動がスムーズとなり、かつ、中間部材１３の孔部１３ｃに落ち込み易くなる。また、ロック部材１７は樹脂製であるので、中間部材１３との接触音が緩和される。そして、一つのロック部材１７で２つのコイルバネ１４，１４のロック状態を一斉に解除することができる構成であるため、作業性に優れるメリットがある。さらに、各コイルバネ１４の上部は樹脂製のバネ受け部材２０で受けられているので、コイルバネ１４と中間部材１２との当接音が緩和されるようになる。
【００５１】
そして、カバー部材１１の両端部に蓋部材１８，１８を嵌め込む。その場合、各蓋部材１８に設けられた上部係合部１８ａ，１８ａ及び下部係合部１８ｂ，１８ｂと、カバー部材１１に設けられた係合孔部１１ｇ，１１ｇ及びレール部１１ｈ，１１ｈとの係合を介して、該蓋部材１８はカバー部材１１に安定して着脱自在に装着される。
【００５２】
そして、図４及び図６に示したように矢印ｂ方向から見たときに、隙間βが観察されなければ、コイルバネ１４，１４の付勢力が良好に確保されていることを意味するので、設置作業を終了する。なお、隙間βが観察された場合には、該隙間βが観察されなくなるまでベース部材１２つまりは側板２の突出部上面を上方に移動させるべく、アジャスタ脚４のねじ込み量を調整すればよい。
【００５３】
以上のように構成したことにより、まず、この転倒防止装置７をベース部材１２を介して側板２の突出部に設置するので、収納棚１の本来の収納性を維持することができる。その場合、ベース部材１２がカバー部材１１の両側面１１ｂ，１１ｂ下端の所定量上方位置より下方に突出しないようにバネ部材としてのコイルバネ１４を規制する後述のストッパ手段を備えているので、カバー部材１１の両側面１１ｂ，１１ｂは常時側板２の突出部に両側から係合可能となり、カバー部材１１の設置状態ひいてはこの転倒防止装置７の設置状態が安定する。
【００５４】
また、この転倒防止装置７ではベース部材１１、コイルバネ１４、後述のロック手段、及びストッパ手段をチャンネル状のカバー部材１１内に収容しているので、設置後の見栄えがよい。
【００５５】
そして、側板２の突出部上面に当接するベース部材１２と天井面Ｙに当接するカバー部材１１の上面１１ａとの間にコイルバネ１４を介装しているので、この転倒防止装置７を収納棚１と天井面Ｙとの間に設置後、ロック手段を介してコイルバネ１４の初期の圧縮状態を解除すれば、コイルバネ１４はベース部材１２ひいては収納棚１とカバー部材１１の上面１１ａひいては天井面Ｙとの間で突っ張り、収納棚１の転倒防止を図ることができると共に、天井面Ｙや床面Ｘの不陸があったり収納物の重量による収納棚１の沈み込みが生じたとしても、コイルバネ１４の付勢力によって良好な突っ張り性を確保することができる。
【００５６】
その場合、側板２という収納棚１の中でも上下方向の荷重に強い箇所にこの転倒防止装置７を設置するので、突っ張り性は一層良好に確保される。ところで、収納棚にねじ軸をねじ込んで設置する方式の従来の装置では、収納棚側に鬼目ナットのようなねじ込み部を設ける必要があるので、該ねじ込み部を側板の上部に設けた場合、施工時に収納棚の高さ調整のため側板の上部を切断するのは容易ではなく、また、切断後に再度ねじ込み部を設けることになって面倒である。それに対して本実施の形態によれば、元々上記ねじ込み部を設ける必要がないので、側板２の高さ調整つまり収納棚１の高さ調整に容易に対応することができるメリットがある。
【００５７】
次に、カバー部材１１の上面１１ａから突出するピン部材としてのバネ軸１５を設けているので、該バネ軸１５が挿通される孔部を天井面Ｙ側に設けることにより、施工時のこの転倒防止装置７の位置合わせが容易となり、また倒れが防止される等、作業性が向上する。特に、天井面Ｙ側に孔部６ａを設けた補強板６を配設して、新築時のみならず改築時あるいは転居時においても、天井面Ｙの強度状態に拘わらず収納棚１の転倒防止を図ることができる。
【００５８】
また、バネ部材としてのコイルバネ１４がバネ軸１５によって安定的にベース部材１２上の所定の箇所で支持されて、正しく上下方向の付勢力を生成させることができる。その場合、バネ軸１５の上部を前述したようにピン部材として利用するため、部品点数の低減ひいてはコストの削減を図ることができる。
【００５９】
また、コイルバネ１４とバネ軸１５とをそれぞれ２つ備えることにより、コイルバネ１４，１４によってカバー部材１１の上面１１ａとベース部材１２との間をより均等に支持することができ、より広い受圧面積を確保することも可能となる。しかも、バネ軸１５，１５がカバー部材１１の上面１１ａから突出しており、該バネ軸１５，１５の頭部１５ｃが天井面Ｙ側の孔部つまり補強板６の孔部６ａ，６ａに係合することにより、天井面Ｙ側に対するこの転倒防止装置７の回転が防止され、施工時の作業性が一層向上する。
【００６０】
また、コイルバネ１４の伸張状態を規制するストッパ手段が中間部材１３の孔部１３ａとバネ軸１５に設けられた中間部１５ｂという比較的単純な構成で具体化され、コストの高騰を抑制することができる。
【００６１】
また、コイルバネ１４を圧縮状態としてカバー部材１１の上面１１ａとベース部材１２とを接近させた状態でロックするロック手段がロック部材１７と中間部材１３の孔部１３ｃという比較的単純な構成で具体化され、コストの高騰を抑制することができる。しかも、手回しドライバ等の適宜の工具で工具操作窓部１１ｆを介してロック部材１７を回動させるだけで容易にコイルバネ１４のロック状態つまり初期の圧縮状態を解除することができ、施工時の作業性に優れる。
【００６２】
また、蓋部材１８，１８を備えることにより、カバー部材１１の両端部方向からの見栄えが向上する。さらに、コイルバネ１４が最も圧縮された状態においても、蓋部材１８，１８の下縁がベース部材１２より下方に位置しないように寸法を設定することにより、蓋部材１８，１８の下縁が側板２の突出部上面に干渉することはなく、この転倒防止装置７の側板２への設置を妨げない。さらに、例えば蓋部材１８，１８の下縁とベース部材１２との間に隙間βがあるか否かを観察すればコイルバネ１４の圧縮あるいは伸張状態がわかり、コイルバネ１４が所定量を超えて伸張していると、つまり隙間βが観察されると、収納棚１の下部に設けられているアジャスタ脚４を調整して、コイルバネ１４を所定の状態とする等の処置を施すことができる。
【００６３】
そして、ベース部材１２を介してねじ止めすることにより、この転倒防止装置７を側板２の突出部に堅固に固定することができ、安定して良好な突っ張り力を確保するのに効果的となる。
【００６４】
なお、本発明は、具体的に詳述した上記実施の形態に限定されることはなく、本発明の趣旨に沿うものであればよい。以下の説明に際しては、特に混乱を招かない限り、上記実施の形態と共通する構成要素については同じ符号を用いることにする。
【００６５】
例えば、上記実施の形態では、一つの転倒防止装置７につき各一対のコイルバネ１４，１４とバネ軸１５，１５とを備えたが、これらをさらに増設してもよいし、逆に、例えば奥行きの狭い収納棚では、長さの短いカバー部材を用いた転倒防止装置とし、併せてコイルバネ１４とバネ軸１５とをそれぞれ一つ備えた構成としてもよい。
【００６６】
また、上記実施の形態では、孔部１３ａを介して中間部材１３を貫通するバネ軸１５に、最も小径の基部１５ａと最も大径の中間部１５ｂと中間径の頭部１５ｃとを設け、中間部１５ｂが中間部材１３に上方から当接することによってコイルバネ１４の伸張状態を規制したが、図８に示す転倒防止装置７Ａのように、ベース部材１２に立設されてコイルバネ１４を支持するバネ軸３５を、孔部１３ａを介して中間部材１３を貫通する下方の小径の基部３５ａと上方の大径の頭部３５ｃとで構成し、該頭部３５ｃが上方から中間部材１３に当接することにより、コイルバネ１４の伸張状態を規制するようにしてもよい。なお、この場合にも、バネ軸３５の頭部３５ｃはカバー部材３１の上面３１ａから突出している。
【００６７】
また、上記実施の形態では、バネ軸１５，３５の頭部１５ｃ，３５ｃがカバー部材１１，３１の上面１１ａ，３１ａから突出していたが、図９に示す転倒防止装置７Ｂのように、ベース部材１２に立設されたバネ軸４５，４５とは別体に、カバー部材４１の上面４１ａに一対のピン部材５１，５１を突設してもよい。なお、この場合、バネ軸４５には、孔部１３ａを介して中間部材１３を貫通する小径の基部４５ａと上方の大径の頭部４５ｃとが設けられており、例えば細い二点鎖線で示す状態の頭部４５ｃが実線で示すように上方から中間部材１３に当接することにより、コイルバネ１４の伸張状態が規制されるようになる。
【００６８】
そして、上記実施の形態では、カバー部材１１，３１の上面１１ａ，３１ａからバネ軸１５，３５の頭部１５ｃ，３５ｃが突出したり、カバー部材４１の上面４１ａにピン部材５１が突設されていたが、これらがカバー部材から突出しない構成としてもよい。その場合にも、収納棚の本来の収納性を維持しながら設置後の見栄えがよく、良好な突っ張り性を確保することができる転倒防止装置が実現される。
【産業上の利用可能性】
【００６９】
以上説明したように、本発明によれば、収納家具の本来の収納性を維持しながら設置後の見栄えがよく、しかも良好な突っ張り性を確保することができる収納家具の転倒防止装置が提供される。すなわち、本発明は、収納家具の上部と天井面との間に設置して該収納家具の転倒防止を図る装置に関し、家具の技術分野に広く好適である。
【図面の簡単な説明】
【００７０】
【図１】本発明の実施の形態に係る収納棚の正面図である。
【図２】同じく側面図である。
【図３】転倒防止装置の一部を破断した平面図である。
【図４】図３のＩＩ−ＩＩ線による断面図である。
【図５】図４のＩＩＩ−ＩＩＩ線による断面図である。
【図６】コイルバネが限界まで伸張した状態を示す図４に相当する断面図である。
【図７】図６のＩＶ−ＩＶ線による断面図である。
【図８】バネ軸の別なる構成を示す図７に相当する断面図である。
【図９】バネ軸とは別体にピン部材を設けた場合の図４に相当する断面図である。
【図１０】従来の転倒防止装置の設置状態を示す断面図である。
【図１１】従来の別なる転倒防止装置の設置状態を示す一部を破断した正面図である。
【符号の説明】
【００７１】
１    収納棚（収納家具）
２    側板
７，７Ａ，７Ｂ      転倒防止装置
１１，３１，４１    カバー部材
１１ａ，３１ａ，４１ａ    上面
１１ｂ    側面
１１ｄ    工具操作窓部（ねじ止め用）
１１ｆ    工具操作窓部（ロック部材回動用）
１２      ベース部材
１２ｃ    ねじ孔部
１３      中間部材
１３ａ    孔部（ストッパ手段）
１３ｃ    孔部（ロック手段）
１４      コイルバネ（バネ部材）
１５，３５，４５    バネ軸（ピン部材）
１５ｂ    中間部（ストッパ手段）
１６      支軸
１７      ロック部材（ロック手段）
１８      蓋部材
３５ｃ，４５ｃ      頭部（ストッパ手段）
５１      ピン部材
Ｙ    天井面
【図１】
2006158474.tif 000003
【図２】
2006158474.tif 000004
【図３】
2006158474.tif 000005
【図４】
2006158474.tif 000006
【図５】
2006158474.tif 000007
【図６】
2006158474.tif 000008
【図７】
2006158474.tif 000009
【図８】
2006158474.tif 000010
【図９】
2006158474.tif 000011
【図１０】
2006158474.tif 000012
【図１１】
2006158474.tif 000013